(57)【要約】  本考案は揚水発電機に関し、より詳しくは、上部に貯蔵された水を損失を最小化しながら電気エネルギーに最大限に変換させることができる効率性が向上された揚水発電機に関する。本考案は、深夜電気を利用して揚水または雨水またはパイプによって誘導された川水を貯蔵する上部水槽と、前記上部水槽の排出口から貯蔵された水を受けて回転して回転力を発生する水車装置と、前記水車装置の回転力によって電気を生産する発電機と、前記水車装置を回転させた水を捕集する下部捕集槽と、前記下部捕集槽の排出管に設置されて排出される水によって回転されて電気を生産する簡易発電装置とを含んで構成される揚水発電機において、前記水車装置は、本体フレームによって上下にそれぞれ設置される上部回転軸及び下部回転軸と、前記上部回転軸及び下部回転軸に巻かれて回転するように閉口され、外面には上部水槽で供給された水によって回転する荷重伝達手段が形成された循環ベルトとを含んで構成され、前記簡易発電装置は、排出管内に設置されて排水される圧力によって回転するプロペラと、前記プロペラに結合されて排出管の外部に引出された簡易回転軸と、前記簡易回転軸の回転力によって電気を発生する簡易発電機とを含んで構成されることを特徴とする揚水発電機。
2020519801.tif 000002
【特許請求の範囲】
【請求項１】
深夜電気を利用して揚水または雨水またはパイプによって誘導された川水を貯蔵する上部水槽（２０）と、前記上部水槽の排出口から貯蔵された水を受けて回転して回転力を発生する水車装置（３０）と、前記水車装置の回転力によって電気を生産する発電機（４０）と、前記水車装置を回転させた水を捕集する下部捕集槽（５０）と、前記下部捕集槽の排出管（５１）に設置されて排出される水によって回転されて電気を生産する簡易発電装置（６０）と、を含んで構成される揚水発電機において、
前記水車装置（３０）は、本体フレームによって上下にそれぞれ設置される上部回転軸（３１）及び下部回転軸（３２）と、前記上部回転軸及び下部回転軸に巻かれて回転するように閉口され、外面には上部水槽で供給された水によって回転する荷重伝達手段が形成された循環ベルト（３３）と、を含んで構成され、
前記簡易発電装置（６０）は、排出管内に設置されて排水される圧力によって回転するプロペラ（６１）と、前記プロペラに結合されて排出管の外部に引出された簡易回転軸（６２）と、前記簡易回転軸の回転力によって電気を発生する簡易発電機（６３）と、を含んで構成され、
前記荷重伝達手段は、内部に供給された水を収容する収容空間が形成された収容バケット（３３２）が長さ方向に所定間隔で形成されて構成され、前記水車装置（３０）の上部にはＵ字状の水平端部を有するように両側壁と前方壁で構成された漏出水捕集機（７０）を固定フレームによって固定設置して、循環ベルトの収容バケット（３３２）が漏出水捕集機の内部を下向きに通過する過程で上部水槽の水を受けて貯蔵するようにし、貯蔵過程で漏出された多量の水は循環ベルトの方向に曲がった漏出水捕集機の下部曲面に案内されて下部の他の収容バケットに再供給されて貯蔵することを特徴とする揚水発電機。
【請求項２】
前記漏出水捕集機（７０）は、両側壁と前方壁で構成された捕集本体（７１）と、前記捕集本体の両側面でそれぞれ水平に突出されて固定フレーム（８０）にスプリング（７４）で連結される捕集連結片（７２）と、前記捕集本体の両側壁に垂直に設置されて固定フレームを挿通させる打撃棒（７３）と、で構成され、
前記固定フレーム（８０）は、前記漏出水捕集機の方向に突出されて捕集連結片とスプリングで連結して固定される固定連結片（８１）と、外面に沿って複数設置されて打撃棒の内部面と所定間隔離隔されるように配置される側面圧電素子（８２）と、前記打撃棒の下端と所定間隔離隔された部分に突出されて打撃棒の下部移動を制限する係止突起（８３）と、前記係止突起の上部に設置されて弾性によって下降する打撃棒によって打撃される下端圧電素子（８４）と、を含んで構成されることを特徴とする請求項１に記載の揚水発電機。
【発明の詳細な説明】
【技術分野】
【０００１】
本考案は揚水発電機に関し、より詳しくは、上部に貯蔵された水を損失を最小化しながら電気エネルギーに最大限に変換させることができる効率性が向上された揚水発電機に関する。
【背景技術】
【０００２】
一般に、揚水発電は水源が不足な所で用いられ、電力消耗量が少ない深夜には下部の水を上部に揚水して移動させ、電力消耗量が高い昼には上部に貯蔵された水を落下させて電力を生産して用いる。
【０００３】
このような揚水発電は水の位置エネルギーを電気エネルギーに変換させることで、水の位置エネルギーによって回転して機械的エネルギーに変換させる回転水車と、回転水車で発生される機械的エネルギーを電気エネルギーに変換させる発電機と、発電機で生産された電気を使用可能な電圧に変換させる変圧器と、を含んで構成される。水の位置エネルギーを機械的エネルギーに最大限に変化させるためには回転水車の機能が非常に重要であり、これは電気生産量に大きな影響を及ぼす重要な要素の一つである。
【０００４】
韓国登録実用新案第２０−０４２４０７８号（２００６．０８．０９．登録；以下「先行文献１」と言う）は釣瓶式水車を利用した水力発電装置を提示した。前記先行文献１は左右支主の間の上部には上部水槽と駆動チェーンホイールが設置され、支主間の下部には下部水槽と空回転チェーンホイールを設置して前記上下水槽は外部電力によって駆動されるモーターポンプを介在した移送管で連結して水が循環されるようにし、前記駆動チェーンホイールと空回転チェーンホイールは駆動チェーンで連結され、この左右駆動チェーンの表面には所定間隔で複数のひさごが設置され、最上端のひさごには上部水槽の集水筒の落下口で落下する水を盛ることができるようにし、この時、水が盛られた複数のひさごの合算された水の重量の力によって発電に必要な回転数を変速することができるように初期駆動時においては減速チェーンギアを介して過負荷を最小化することができるようにし、変速軸の両端に設置された変速チェーンギアは変速軸の両端に設置された変速チェーンギアとチェーンベルトで連結し、前記変速軸の両端に設置された変速チェーンギアは前記変速軸の両端に設置された変速チェーンギアとチェーンベルトで連結し、前記変速軸に設置された変速チェーンギアと変速軸に設置された変速チェーンギアの変速軸にはフライホイールが設置され、前記変速軸に設置された変速チェーンギアと前記支主間に設置された電動チェーンギアはチェーンベルトで連結し、前記電動チェーンギアと同一軸に設置された電動チェーンギアは発電機のチェーンギアとチェーンベルトによって連結されるようにすることを特徴とする。
【０００５】
韓国登録特許第１０−１０６２２４６号（２０１１．０８．３０．登録；以下「先行文献２」と言う）は水力発電所用タービンを提示した。前記先行文献２は水力発電所用タービンにおいて、一端にギアが設けられた第１回転軸で所定間隔隔てて設置された一対の第１チェーンタイヤと、第２回転軸で所定間隔隔てて設置された一対の第２チェーンタイヤと、前記第１チェーンタイヤ及び第２チェーンタイヤに閉ループ状に設けられた一対のチェーンと、前記チェーンの外面に固着したベルトと、前記ベルトの外表面で前記ベルトの周方向に沿って設けられた複数の水受けとからなり、前記水受けは可撓性を有し、前記水受けの上側開口の辺縁に可撓性ケーブルを設置したことを特徴とする。
【０００６】
前記先行文献１及び２は何れも上下回転軸を備え、前記回転軸には水を受ける複数の収容部が形成されたベルトを循環されるように装着してベルトの収容部に水を投入して水が荷重によってベルトを一方向に循環移動されるようにし、移動されるベルトは回転軸を回転させて電気が生産されるようにした構成である。
【０００７】
しかしながら、貯蔵された上部水を電気エネルギーに最大限に変換させるためには上部の水槽からベルトの収容部に水を投入する時に損失される量を最小化しなければならないが、実際に水を投入する時にはベルトの早い回転によってベルトの収容部に供給される水が多量損失されているので、これに対する具体的な手段がなくて電気生産率が顕著に低下するという短所がある。
【０００８】
そこで、水の損失なしに水の位置エネルギーを電気エネルギーに最大限に変換させることができる新しい構造に対する必要性が台頭される。
【発明の概要】
【発明が解決しようとする課題】
【０００９】
前記のような従来技術の問題点を解決するための本考案の揚水発電機は、貯水槽の水をベルト収容部に供給する部分に漏出水捕集機を配置して貯水された水を収容バケットに供給する過程で収容部の外側に漏出された水を捕集して下層の収容バケットに再投入して上部水槽の貯蔵水が有する位置エネルギーを電気エネルギーに最大限に変換させることができる装置を提供することを目的とする。
【００１０】
また、本考案は漏出水捕集機を固定フレームにスプリングで位置固定して漏出水が漏出水捕集機の内面を打撃すれば漏出水捕集機の位置が可変されながら漏出水捕集機の一部分が固定フレームに設置された圧電素子を打撃して電気を発生させる構造を有する装置を提供することを他の目的とする。
【課題を解決するための手段】
【００１１】
前記課題を解消するための本考案の揚水発電機は、深夜電気を利用して揚水または雨水またはパイプによって誘導された川水を貯蔵する上部水槽と、前記上部水槽の排出口から貯蔵された水を受けて回転して回転力を発生する水車装置と、前記水車装置の回転力によって電気を生産する発電機と、前記水車装置を回転させた水を捕集する下部捕集槽と、前記下部捕集槽の排出管に設置されて排出される水によって回転されて電気を生産する簡易発電装置と、を含んで構成される揚水発電機において、前記水車装置は、本体フレームによって上下にそれぞれ設置される上部回転軸及び下部回転軸と、前記上部回転軸及び下部回転軸に巻かれて回転するように閉口され、外面には上部水槽で供給された水によって回転する荷重伝達手段が形成された循環ベルトとを含んで構成され、前記簡易発電装置は、配管内に設置されて排水される圧力によって回転するプロペラと、前記プロペラに結合されて管の外部に引出された簡易回転軸と、前記簡易回転軸の回転力によって電気を発生する簡易発電機と、前記簡易発電機で生成された電気を充電する充電器と、を含んで構成される。
【００１２】
また、前記水車装置の回転軸にはスプロケットを設置し、循環ベルトにはスプロケットと噛み合うチェーンを結合してベルトが回転するようにすることができる。
【００１３】
また、前記荷重伝達手段は、内部に供給された水を収容する収容空間が形成された収容バケットが長さ方向に所定間隔で形成されるように構成することができる。
【００１４】
また、前記水車装置の上部にはＵ字状の水平端部を有するように両側壁と前方壁で構成された漏出水捕集機を固定フレームによって固定設置して、循環ベルトの収容バケットが漏出水捕集機の内部を下向きに通過する過程で上部水槽の水を受けて貯蔵するようにし、貯蔵過程で漏出された多量の水は循環ベルト方向に曲がった漏出水捕集機の下部曲面に案内されて下部の他の収容バケットに再供給されて貯蔵されることができる。
【００１５】
この時、前記漏出水捕集機は、両側壁と前方壁で構成された捕集本体と、前記捕集本体の両側面でそれぞれ水平に突出して固定フレームにスプリングで連結される捕集連結片と、前記捕集本体の両側壁に垂直に設置されて固定フレームを挿通させる打撃棒とで構成され、前記固定フレームは、前記漏出水捕集機の方向に突出されて捕集連結片とスプリングで連結されて固定される固定連結片と、外面に沿って複数設置されて打撃棒の内部面と所定間隔離隔されるように配置される側面圧電素子と、前記打撃棒の下端と所定間隔離隔された部分に突出されて打撃棒の下部移動を制限する係止突起と、前記係止突起の上部に設置されて弾性によって下降する打撃棒によって打撃される下端圧電素子と、前記側面圧電素子と下端圧電素子で生成された電気を充電させる充電器と、を含んで構成されることができる。
【００１６】
他の例としては、前記水車装置は、上部水槽の水を受けて水を下部に落下させ、一側面に垂直溝が形成された垂直落下管をさらに設置し、前記垂直落下管の垂直溝には循環ベルトを密着させて垂直溝を閉口しながら移動するように構成し、前記循環ベルトは荷重伝達手段で複数の水平区画板を長さ方向に複数形成して垂直落下管の上部では水平区画板が回転しながら垂直溝を通じて垂直落下管の内部に挿入されて空間を区切り、垂直落下管の下部では水平区画板が回転しながら垂直溝から離脱して貯蔵された水を排出するようにすることができる。
【発明の効果】
【００１７】
前記解決手段による本考案の揚水発電機は、高い位置の水を循環ベルトに供給して位置エネルギーを回転エネルギーに変換しながら電気を生産し、水を循環ベルトに供給する過程で漏出水の発生を最小化するか、発生された漏出水も循環ベルトに再供給して電気生産効率を増大させることができるという有用な装置の提供が可能になった。
【図面の簡単な説明】
【００１８】
【図１ａ】本考案の実施例による揚水発電機と簡易発電装置を示した構成図である。
【図１ｂ】本考案の実施例による揚水発電機と簡易発電装置を示した構成図である。
【図２】本考案の実施例による水車装置の主要部を示した部分斜視図。
【図３ａ】本考案の実施例による漏出水捕集機の設置状態を示した平面図である。
【図３ｂ】本考案の実施例による漏出水捕集機の設置状態を示した側断面図である。
【図４ａ】本考案の実施例に他の圧電素子が設置された漏出水捕集機の結合状態図である。
【図４ｂ】本考案の実施例に他の圧電素子が設置された漏出水捕集機の結合状態図である。
【図５ａ】本考案の水車装置の他の形態を示した概路図。
【図５ｂ】本考案の水車装置の他の形態を示した概路図。
【発明を実施するための形態】
【００１９】
以下、本考案を好ましい実施例を通じて詳しく説明する。しかし、本考案はここで説明される実施例に限定されず他の形態に具体化されることもできる。むしろ、ここで紹介される内容が徹底的で完全になることができるように、また当業者に本考案の思想が充分伝達されることができるようにするために提供される。
【００２０】
図１ａは本考案による揚水発電機を示した構成図である。
【００２１】
図面に示すように、本考案による揚水発電機１０は、上部水槽２０と、水車装置３０と、発電機４０と、下部捕集槽５０と、簡易発電装置６０とを含んで構成される。
【００２２】
前記上部水槽２０は、電気消耗量が少ない深夜電気を利用して下部の水を揚水したり、雨水を貯蔵することができ、川水を落差の大きい地域に部分的に誘導したり、このような方法を組み合わせて湛水が行われることができる。前記上部水槽２０は一側に排出口を形成して貯蔵された水を一側方向に排出されるようにし、前記排出口には断続弁を設置して水の排出を断続することができ、排出ライン上にプロペラと簡易回転軸及び簡易発電機で構成される簡易発電装置を設置して排出圧力を電気エネルギーに変換して電力供給ラインに供給するか別途の充電器に貯蔵されるようにすることができる。
【００２３】
前記水車装置３０は、本体フレームによって上部と下部にそれぞれ設置される上部回転軸３１及び下部回転軸３２と循環ベルト３３を含む。前記上部回転軸３１と下部回転軸３２は複数のロールを所定直径で配列するか一つの大口径ロールを配置するか、または小幅の大口径ロールを同一軸で複数配置して循環が行われるようにして循環ベルトの回転と進行方向の転換が行われるようにすることができる。
【００２４】
また、上部回転軸３１及び下部回転軸３２である回転軸には両端にスプロケット３１１を設置し、前記スプロケットと対応するチェーン３３１は循環ベルト３３に結合して循環ベルトから動力を受けて回転が行わるようにすることができる。
【００２５】
また、前記循環ベルト３３は上部水槽で提供される水によって荷重を受けて一側を下降させて上部回転軸と下部回転軸を回転させる。このような循環ベルトには水の荷重を受けるために荷重伝達手段が形成される。
【００２６】
一例として、前記荷重伝達手段は内部に水を貯蔵する収容空間が形成された収容バケット３３２を循環ベルト３３の長さ方向に所定間隔で形成して構成されることができる。この時、上部水槽２０で水が供給される位置では収容バケット３３２の開口された部分が上部に向けるようにして供給された水の湛水が容易に行われるようにし、湛水された水の重力によって下降して循環ベルト３３が一側方向に回転されるようにする。
【００２７】
また、収容バケット３３２は弾性材質で形成して上部回転軸または下部回転軸によって回転して進行方向が変わる時形態変形が容易に行われるようにすることができ、開口された入口部分のみに金属性材質で形成して水の供給時に入口を容易に確保するようにすることができる。
【００２８】
また、前記循環ベルト３３に結合されるチェーン３３１は、図２に示したように、循環ベルト３３の内面に一体に形成して循環ベルトが下降しながら上部回転軸及び下部回転軸が一緒に回転されるようにすることができる。
【００２９】
次に、上部回転軸３１または下部回転軸３２には発電機４０が連結されて回転によって電気が生産されるようにすることができる。前記発電機４０は上部回転軸または下部回転軸と直接連結されるよりは変速器や減速器を通じて所望の回転数に変換させて発電されるようにすることが好ましい。また、発電機で生産された電気は変圧器によって電圧を調整した後電力系に供給するか、充電器に貯蔵して必要時に使用するようにすることができるなど公知の多様な方法による電源供給が行われることができる。
【００３０】
前記下部捕集槽５０は循環ベルトを回転させた水を一時的に捕集した後排出する。即ち、上部水槽２０に貯蔵された水は水車装置３０を通じて下部に下降しながら循環ベルト３３を移動させ、移動された循環ベルトは上部回転軸３１または下部回転軸３２を回転させ、前記回転力によって発電機４０で電気を生産する方式で位置エネルギーを利用して電気エネルギーを生産する。ここで前記循環ベルトを下部に移動させた水は収容バケット３３２で排出されて下部捕集槽５０に捕集され、下部捕集槽に形成された排出管５１を通じて外部に排出される。
【００３１】
前記簡易発電装置６０は、下部捕集槽の排出管５１に設置されて排出される水によって回転を発生させて電気が生産されるようにした。
【００３２】
このような簡易発電装置６０は配管内に設置されて排水される圧力によって回転するプロペラ６１と、前記プロペラに結合されて管の外部に引出された簡易回転軸６２と、前記簡易回転軸の回転力によって電気を発生させる簡易発電機６３とを含む。
【００３３】
図１ｂは下部捕集槽の排出管を水平切断した平面図である。図示したように、排出管５１内には排出水によって回転するプロペラ６１が形成される。前記プロペラは排出管の垂直断面と同じ大きさで形成し、その中心に回転軸を形成して回転が行われる形態であるか、プロペラが形成された部分を拡張してプロペラは下部側のみに管の主排出流路に配置されて排出圧力を受けて回転されるようにすることができる。
【００３４】
また、前記簡易回転軸６２はプロペラの中心に連結されて管の外部に引出されてプロペラによる回転力を排出管の外部に伝達するようにする。このように、下部捕集槽の排出管には一つまたは複数のプロペラを設置し、各プロペラに簡易回転軸を設置して排出される圧力を回転力に変換して得ることができる。
【００３５】
前記簡易回転軸６２は簡易発電機６３に連結されて発電が行われ、簡易回転軸が複数で形成される場合、簡易回転軸のそれぞれに簡易発電機を設置して電気を生産するか、別途のベルトプーリーまたはスプロケットによって一つの簡易回転軸に集中させて一つの簡易発電機６３を通じて電気が生産されるようにすることができる。また、前記簡易回転軸は簡易発電機と直接連結されて回転力を伝達するか、変速器を利用して所望の回転数に変換させた後電気が生産されるようにすることができる。
【００３６】
また、前記簡易発電装置６０で生産された電気は変圧器を通じて電力供給ラインに供給されるか、別途の充電器９０に充電されて非常時に使用または揚水発電機を駆動する予備電源として用いることができる。
【００３７】
前述したような構成で上部水槽に貯蔵された水を発電に最大限に用いるために、水車装置には漏出水捕集機７０がさらに設置されることができる。
【００３８】
図３ａ及び図３ｂによれば、前記水車装置の中で上部水槽２０から循環ベルト３３の収容バケット３３２に水を供給する上部側には循環ベルトの中の収容バケット３３２を囲む漏出水捕集機７０がさらに設置されて収容バケットに水を盛る過程で漏出された水を下部層に位置する収容バケットに再供給して回転エネルギーへの変換が行われるようにすることができる。
【００３９】
前記漏出水捕集機７０は水車装置の上部に固定され、Ｕ字状の水平端部を有するように両側壁と前方壁が一体に構成されて固定フレーム８０によって固定設置される。ここで前記固定フレーム８０は上部回転軸３１または下部回転軸３２を支持する本体フレームの一側に固定された形態で提供されるか、本体フレームとは別途に独立的に設置して漏出水捕集機を上部水槽の排出管に近接して配置することができる。
【００４０】
このような漏出水捕集機７０は水平端部で後方側が循環ベルト３３の前方面即ち収容バケット３３２が形成された面に近接して配置されて側面を全部閉口し、その内部を収容バケットが通過する過程で水を供給して収容バケットに湛水されるようにする。
【００４１】
前記漏出水捕集機７０は内壁下部を循環ベルトの収容バケットが移動される流路に向けるように曲面で形成して漏出水の発生時に漏出水捕集機７０の内面の曲面に案内されて水を湛水する収容バケットの下部層に位置した他の収容バケットに漏出水を供給して貯蔵されるようにする。従って、収容バケット３３２は上部水槽２０から水が供給される時、満水位に満たされないで内部空間の６０〜８０％だけ満たして余裕空間を形成した後漏出水捕集機７０で案内された漏出水を追加貯蔵して下降が行われるようにすることができる。
【００４２】
前記漏出水捕集機７０は、Ｕ字状の水平端部を有するように両側壁と前方壁で構成された捕集本体７１を有する。前記捕集本体７１は下部が内部へ緩い曲面で形成して水を収容バケットに盛る過程で発生された漏出水を捕集して内部曲面に沿って内方へ誘導して下部層の収容バケットに収容されるように構成される。
【００４３】
図４ａ及び図４ｂによれば、本考案による揚水発電機には圧電素子をさらに装着して漏出水捕集機に伝達される荷重を圧電素子によって電気に変換して得ることができる。
【００４４】
前記漏出水捕集機７０は、捕集本体の両側面に水平に突出された捕集連結片７２と、垂直に貫通された棒体の打撃棒７３とがさらに設置される。前記捕集連結片７２は、捕集本体７１の両側面で上側と下側に複数形成して固定フレーム８０とスプリング７４によって結合される。このように両側の４つの地点によってスプリング７４で連結されると収容バケット３３２に水を盛る時漏出された水が漏出水捕集機の捕集本体７１を打撃して漏出水捕集機が前後左右及び上下に移動される。この時、前記漏出水捕集機が移動される位置に圧電素子を設置すれば、漏出水による漏出水捕集機に発生された振動も電気に変換させることができる。
【００４５】
同時に、前記漏出水捕集機７０を固定する固定フレーム８０は漏出水捕集機の打撃棒７３を挿通して設置され、打撃棒の内面と近接した部分には前後左右部分に垂直に側面圧電素子８２を装着してｘ軸及びｙ軸に位置移動する際に打撃棒７３が側面圧電素子８２を打撃して電気が生産されるようにすることができる。
【００４６】
また、前記固定フレーム８０は打撃棒７３が位置する部分で所定間隔の下部に係止突起８３を突出させ、前記係止突起の上部面に下端圧電素子８４を水平に設置して漏出水捕集機の上下移動時に漏出水捕集機の下端が下端圧電素子８４を打撃して電気を生産するようにすることができる。
【００４７】
このような漏出水捕集機７０は固定フレーム８０とスプリング７４によって連結される。即ち、漏出水捕集機の両側面の上下部に捕集連結片７２が形成され、これに対応するように固定フレームで固定連結片８１を一体に形成して、前記捕集連結片７２と固定連結片８１をスプリング７４で連結させることにより小さな打撃でも漏出水捕集機７０の位置が可変されて側面圧電素子８２または下端圧電素子８４を打撃して電気を生産することができる。また、前記漏出水による振動以外に風によっても漏出水捕集機７０が移動して側面または下端圧電素子８２、８４を打撃することができるので、風力エネルギーも少量電気生産に用いられることができる。
【００４８】
また、漏出水捕集機７０は固定フレーム８０に吊り下がっているので、固定連結片８１を上部に位置させ、捕集連結片７２を下部に位置させてスプリング７４によって連結するように構成することが好ましい。また、前記打撃棒７３と固定フレーム８０の断面は円形に形成するか、図示したように四角棒体で形成して側面圧電素子の設置及び打撃が容易に行われるようにすることができる。
【００４９】
また、前記側面圧電素子８２と下端圧電素子８４で生産された電気は直接電力供給ラインに伝達して用いることができるが、生産される電気量が少ないので、充電器９０に充電して充電が完了された後用いるか非常電源または施設駆動電源として用いることができる。
【００５０】
前述したように構成された本考案の揚水発電機１０は、近くの川で誘導された水または雨水または揚水を上部水槽に貯蔵し、長さ範囲を通じて排出し、排出された水は水車装置を通じて下降して水の位置エネルギーを回転エネルギーに変換して電気を生産する。
【００５１】
これに加えて、電気を生産して排出された水は下部捕集槽に捕集され、これを排出する過程で簡易発電が行われて追加的に電気が生産される。
【００５２】
また、漏出水捕集機７０をさらに設置して上部水槽２０で水車装置特に収容バケット３３２に水を供給する過程で漏出された水を捕集して下部層の収容バケットに再供給して電気エネルギーへの変換を図ることができる。
【００５３】
また、漏出水捕集機７０はスプリング７４によって打撃時に前後左右及び上下移動が可能な形態で設置して漏出水の捕集過程または風によって振動が発生する時に発生された振動で圧電素子を打撃して電気が追加生産されるようにするなど上部水槽に貯蔵された水の位置エネルギー損失を最小化しながら電気エネルギーを最大に生産することができるようになった。
【００５４】
また、前記本考案の揚水発電機の高さを増加させたり、複数の揚水発電機を上下に配列して上部水槽に貯蔵された水が複数の揚水発電機特に水車装置を順次に通過して下降させることにより限られた水資源を利用して最大の電気を生産することができる。
【図１ａ】
2020519801.tif 000003
【図１ｂ】
2020519801.tif 000004
【図２】
2020519801.tif 000005
【図３ａ】
2020519801.tif 000006
【図３ｂ】
2020519801.tif 000007
【図４ａ】
2020519801.tif 000008
【図４ｂ】
2020519801.tif 000009
【国際調査報告】
2020519801.tif 000010
2020519801.tif 000011
2020519801.tif 000012
2020519801.tif 000013